(57)【要約】【課題】原稿台に載置された原稿から画像を読み取る読取手段と、シート及び緩衝材が配設された原稿カバーと、を有する読取装置に関し、原稿カバーの開閉動作を容易に行い得る読取装置を提供する。【解決手段】複合機１は、スキャナ部３０を有する。スキャナ部３０は、原稿カバー４０、原稿台５０により構成される。原稿カバー４０は、手掛け部４２、緩衝材４３、シート４４を有し、シート４４は、密着防止部４５を端縁部に有している。原稿台５０は、フラットベッドガラス５２、スキャナユニット５５を有する。原稿カバー４０が閉状態である場合、シート４４は、フラットベッドガラス５２上面に接触する。密着防止部４５は、シート対応領域Ｓ内の読取可能領域Ｒ外であって、手掛け部対応領域Ｇ内に位置する形成位置Ｐに形成され、シート４４とフラットベッドガラス５２の密着を防止する。【選択図】図２
2011135440.tif 000002
【特許請求の範囲】
【請求項１】
原稿が載置される原稿台と、
前記原稿台の下方に配設され、前記原稿台における所定の読取範囲内に載置された原稿から画像を読み取る読取手段と、
前記原稿台の上面を覆う閉状態と、前記原稿台の上面を開放した開状態に移動可能な原稿カバーと、を備え、
前記原稿カバーは、
当該原稿カバーを開状態又は閉状態にする際に用いられる手掛部と、
前記閉状態の前記原稿カバーにおける前記原稿台と対向する面に配設された緩衝材と、
前記閉状態の前記緩衝材における原稿台と対向する面に配設され、前記原稿台上面と接触するシートと、
前記シートに形成され、原稿台上面と当該シートの密着を防止する密着防止部と、を有し、
当該密着防止部は、
前記手掛部に近接する第１領域と、前記原稿カバーが閉状態にある場合に前記読取範囲外に位置する第２領域とが重複する重複領域内の前記シートの端縁部に形成されている
ことを特徴とする読取装置。
【請求項２】
請求項１記載の読取装置であって、
前記密着防止部は、
前記重複領域内における前記シートの端縁部を切り欠くことにより構成される
ことを特徴とする読取装置。
【請求項３】
請求項１記載の読取装置であって、
前記密着防止部は、
当該密着防止部を構成するシート表面と、前記重複領域外に位置するシート表面の間に段差を形成することにより構成される
ことを特徴とする読取装置。
【請求項４】
請求項１記載の読取装置であって、
前記密着防止部は、
当該密着防止部を構成するシートを、前記読取範囲の外側に向かって延出することにより構成される
ことを特徴とする読取装置。
【請求項５】
請求項１乃至請求項３の何れかに記載の読取装置であって、
前記密着防止部は、
前記シートの中心点を基準点として、前記重複領域と点対称となるシートの端縁部に更に形成されている
ことを特徴とする読取装置。
【発明の詳細な説明】
【技術分野】
【０００１】
本発明は、原稿台に載置された原稿から画像を読み取る読取手段と、シート及び緩衝材が配設された原稿カバーと、を有する読取装置に関する。
【背景技術】
【０００２】
複合機やコピー機、スキャナ等において、原稿の画像を読み取る読取装置として、所謂、フラットベットスキャナが知られている。これらの読取装置は、原稿台、読取手段、原稿カバーを有しており、原稿台上に原稿を載置した状態で、原稿カバーを閉じ、当該原稿の画像を読み取る。
【０００３】
ここで、原稿カバーは、外部からの光を遮断し、画像読取に対する当該光の影響をなくすと共に、当該原稿を原稿台に押圧することで、画像の読取精度を高めている。これらの読取装置における原稿カバーに関する技術が特許文献１に開示されている。
【先行技術文献】
【特許文献】
【０００４】
【特許文献１】実開昭６１−０００１４２号公報
【発明の概要】
【発明が解決しようとする課題】
【０００５】
特許文献１に係る読取装置は、コピー機に搭載されており、原稿台と、読取手段と、原稿カバーを有している。読取手段は、原稿台の下方に配設されており、原稿台に載置された原稿の画像を読み取る。原稿カバーは、原稿台の一辺において開閉自在に軸支されており、閉じた場合に原稿を原稿台に押圧固定する。
【０００６】
そして、特許文献１における原稿カバーは、緩衝材と、白色ポリエステルフィルムとを閉じた場合に原稿台と対向する面に有している。そして、当該白色ポリエステルフィルムは、表面が平滑に形成されており、当該平滑な表面が、原稿カバーを閉じた場合に、原稿及び原稿台表面と接触する。
【０００７】
ここで、特許文献１記載の読取装置等において、原稿カバーを閉じると、白色ポリエステルフィルムは、微小な間隔を隔てて、原稿台の平滑面に近接し、当該原稿台との間に、略密閉された空間を構成する。そして、これらの読取装置では、未使用時には、原稿カバーを閉じた状態である場合が多い。この場合、原稿台と白色ポリエステルフィルムとの間の空間内の空気は、原稿カバーの自重及び原稿カバーに加わる大気圧によって当該空間外へ流出し得る。この結果、当該空間内の気圧が大気圧よりも低くなるため、白色ポリエステルフィルムを含む原稿カバーは、吸盤のように原稿台の平滑面に張り付いてしまう場合がある。この場合、当該読取装置を使用する際に、原稿カバーが原稿台に張り付いているため、原稿カバーを開く動作に大きな力が必要となり、当該動作が非常に困難になってしまう。
【０００８】
本発明は、原稿台に載置された原稿から画像を読み取る読取手段と、シート及び緩衝材が配設された原稿カバーと、を有する読取装置に関し、原稿カバーの開閉動作を容易に行い得る読取装置を提供する。
【課題を解決するための手段】
【０００９】
本発明の請求項１に係る読取装置は、原稿台と、読取手段と、原稿カバーと、を有している。当該読取装置は、原稿カバーを閉状態とし、読取手段により、原稿台に載置された原稿の画像を読み取る。そして、原稿カバーは、手掛け部と、緩衝材と、シートと、を有し、原稿カバーを閉状態にした場合、当該シートは、原稿台上面と対向する。当該シートは、重複領域内における当該シートの端縁部に、密着防止部を有しており、原稿台上面と当該シートの密着を防止する。従って、当該読取装置は、どの状態であっても原稿カバーを容易に開閉し得る。更に、当該読取装置において、密着防止部が形成される重複領域は、手掛け部に近接しているので、手掛け部を用いて原稿カバーを開状態にする際に、ユーザの力は、密着防止部に加わる。この結果、当該読取装置は、原稿カバーを開状態にする際に、ユーザの力を効率よく作用させることができ、もって、原稿カバーの開動作を容易にし得る。又、重複領域は、原稿カバーが閉状態にある場合に読取範囲外に位置するので、密着防止部が、読取手段により読み取られた画像に影響を及ぼすことはない。
【００１０】
そして、請求項２記載の読取装置において、密着防止部は、重複領域内におけるシートの端縁部を切り欠くことにより構成される。従って、当該読取装置は、密着防止部を簡単な加工作業で形成し得る。そして、当該読取装置は、密着防止部に係る部分のシートを切り欠くことにより、ユーザによる開状態への操作に基づく力を適切に原稿カバーに作用させ得る。又、原稿カバーと原稿台上面が密着している場合であっても、当該読取装置は、当該密着防止部を介して、シートと原稿台上面の間に外気を導入することができ、シートと原稿台上面の間における気圧を、大気圧と均一な状態にし得る。従って、当該読取装置は、原稿カバーがシートを介して吸盤のように原稿台に張り付いた場合であっても、容易に原稿カバーを開状態に操作し得る。
【００１１】
又、請求項３記載の読取装置において、密着防止部は、密着防止部を構成するシート表面と、重複領域外に位置するシート表面の間に段差を形成することにより構成される。従って、当該読取装置は、密着防止部を、シートに段差を形成する簡単な加工作業で形成し得る。そして、当該読取装置は、シートに段差を形成することにより密着防止部を形成するので、ユーザによる開状態への操作に基づく力を適切に原稿カバーに作用させ得る。又、当該読取装置は、密着防止部を構成する段差により、シートと原稿台上面の間における気圧を、大気圧と均一な状態にし得る。従って、当該読取装置は、容易に原稿カバーを開状態に操作し得る。
【００１２】
そして、請求項４記載の読取装置において、密着防止部は、当該密着防止部を構成するシートを、前記読取範囲の外側に向かって延出することにより構成される。従って、当該読取装置は、密着防止部を、シートの一部を延出する簡単な構成で形成し得る。そして、当該読取装置は、シートの一部を延出することにより密着防止部を形成するので、ユーザによる開状態への操作に基づく力を適切に原稿カバーに作用させ得る。又、シートの一部を延出して形成された密着防止部は、原稿台上面との間に空間を形成し得るため、当該読取装置は、シートと原稿台上面の間における気圧を、大気圧と均一な状態にし得る。従って、当該読取装置は、容易に、原稿カバーを開状態に操作し得る。
【００１３】
又、請求項５記載の読取装置において、密着防止部は、シートの中心点を基準点として、重複領域と点対称となるシートの端縁部に更に形成されている。従って、シートの中心点を所定位置に合わせれば、作業者は、シートの向きを厳密に考慮することなく、原稿カバーに対するシートの取付作業を行い得る。これにより、当該読取装置は、当該読取装置を製造する際におけるシートの取付作業に関する負担を軽減し得る。
【図面の簡単な説明】
【００１４】
【図１】本発明の一実施形態に係る複合機の外観斜視図である。
【図２】原稿カバーを開いた状態の複合機の外観斜視図である。
【図３】読取可能領域、シート対応領域、手掛け部対応領域の位置関係を示す説明図である。
【図４】第１実施形態に係る密着防止部近傍の断面図である。
【図５】原稿カバーを開く際に、第１実施形態に係る密着防止部に作用する力の説明図である。
【図６】密着防止部が形成される形成位置を示す説明図である。
【図７】第２実施形態に係る密着防止部を示す説明図である。
【図８】第２実施形態に係る密着防止部近傍の断面図である。
【図９】第３実施形態に係る密着防止部を示す説明図である。
【図１０】第３実施形態に係る密着防止部近傍の断面図である。
【図１１】第４実施形態に係る密着防止部を示す説明図である。
【図１２】第４実施形態に係る密着防止部近傍の断面図である。
【発明を実施するための形態】
【００１５】
以下、本発明に係る読取装置を、複合機１に具体化した実施形態について、図面を参照しつつ詳細に説明する。尚、以下の説明において、複合機１使用時のユーザを基準にした方向を用いて説明する。
【００１６】
［第１実施形態］
第１実施形態に係る複合機１は、読取装置としての機能（スキャン機能）に加え、プリント機能、コピー機能、ファクシミリ送受信機能等を有している。図１、図２に示すように、複合機１は、本体筐体５を有している。本体筐体５は、プリント機能、コピー機能を実現するプリンタ部（図示せず）、ファクシミリ送受信機能を実現するファクシミリ部（図示せず）等を収納している。又、複合機１は、本体筐体５上部に、読取装置として機能するスキャナ部３０を有している。当該スキャナ部３０の構成については、後に詳細に説明する。
【００１７】
又、当該複合機１は、給紙カセット１０を、本体筐体５下部に有している。当該給紙カセット１０は、プリント機能、コピー機能において、プリンタ部により印刷される被印刷媒体である用紙を収容している。又、当該給紙カセット１０は、複合機１の前後方向にスライド移動させることで、本体筐体５に対して着脱可能に構成されている。そして、当該複合機１は、排紙部１５を給紙カセット１０の上方に有している。当該排紙部１５は、プリント機能、コピー機能により印刷が施された用紙を排紙して蓄積する。
【００１８】
更に、当該複合機１は、本体筐体５上面における前側部分に、操作パネル２０を有している。当該操作パネル２０は、ディスプレイ２５と、各種操作ボタンを有している。各種操作ボタンは、ユーザが複合機１に対して指示を行う際に操作される。ディスプレイ２５は、液晶ディスプレイにより構成され、複合機１の各種機能に対応した種々の情報を表示する。
【００１９】
次に、本実施形態に係る複合機１のスキャナ部３０の構成について、図面を参照しつつ詳細に説明する。上述したように、複合機１は、本体筐体５上部にスキャナ部３０を有している。当該スキャナ部３０は、所謂、フラットベッドタイプのイメージスキャナであり、原稿カバー４０と、原稿台５０と、を有している。
【００２０】
原稿カバー４０は、本体筐体５上面の後端側を回動軸として、回動自在に軸支されている（図１、図２参照）。本実施形態においては、原稿カバー４０が本体筐体５上面（即ち、原稿台５０上面）を覆う状態を「閉状態」といい（図１参照）、原稿カバー４０の前端側を上方に向かって移動させ、原稿台５０上面へアクセス可能な状態を「開状態」という（図２参照）。
【００２１】
そして、当該原稿カバー４０は、自動原稿送り装置４１と、手掛け部４２と、緩衝材４３と、シート４４と、を有している。自動原稿送り装置４１は、原稿カバー４０上部左端側に配設されており、読取対象物である原稿を、順次所定経路に沿って搬送する。自動原稿送り装置４１の構成については、既に公知であるため、その詳細な説明を省略する。
【００２２】
手掛け部４２は、原稿カバー４０を閉状態から開状態へ移動させる際に、ユーザが把持する部分である。従って、原稿カバー４０を開状態にする際、ユーザの操作に伴う力は、当該手掛け部４２近傍に作用する。そして、当該手掛け部４２は、原稿カバー４０の前端側において、略中央部分に、左右方向に一定の幅をもって形成されている。尚、手掛け部４２を用いたユーザの操作に基づく力が効果的に作用する領域を「手掛け部対応領域Ｇ」という。当該手掛け部対応領域Ｇは、手掛け部４２の左右方向の幅に対応している。
【００２３】
緩衝材４３は、合成樹脂等により形成された平板状のスポンジにより構成され、閉状態にある原稿カバー４０の下面に配設されている。従って、緩衝材４３は、原稿カバー４０を閉状態にした場合に、原稿台５０上面と対向する。又、当該緩衝材４３は、スキャナ部３０によって画像の読取が可能な領域（以下、読取可能領域Ｒ）よりもやや広い長方形状に形成されている（図３参照）。
【００２４】
シート４４は、ポリプロピレン或いはポリエステル製のフィルム等により構成され、原稿カバー４０が閉状態にある場合における緩衝材４３下面に配設されている。従って、シート４４は、原稿カバー４０を閉状態にした場合に、原稿台５０の上面に近接する。又、当該シート４４は、上述した緩衝材４３と同様に、読取可能領域Ｒよりもやや広い長方形状に形成されている。尚、原稿カバー４０が閉状態にある場合に、原稿台５０上面において当該シート４４が占める領域を「シート対応領域Ｓ」という。
【００２５】
そして、密着防止部４５は、シート４４等の所定部分を加工することにより形成され、原稿カバー４０を開状態にする場合のユーザの操作負担を軽減する。当該密着防止部４５の詳細については、後に図面を参照しつつ詳細に説明する。
【００２６】
原稿台５０は、本体筐体５上部に形成されており、スキャナ部３０による画像読取の対象である原稿が載置される部分であり、スキャン機能の主要部を構成する。当該原稿台５０は、フレーム５１と、フラットベッドガラス５２と、スキャナユニット５５と、を有している。
【００２７】
フラットベッドガラス５２は、透明な材質（例えば、ガラス又はプラスチック）の板状部材によって形成され、原稿台５０上面を構成する。スキャナ部３０の読取対象である原稿は、当該フラットベッドガラス５２上に載置される。そして、フレーム５１は、フラットベッドガラス５２の端縁部に沿って配設され、当該フラットベッドガラス５２を保持する。又、当該フレーム５１は、フラットベッドガラス５２と同様に、原稿台５０上面を構成する。
【００２８】
スキャナユニット５５は、例えば、ＣＩＳ（contact image sensor）等の撮像素子を有しており、スキャナ部３０の主要部を構成する。当該スキャナユニット５５は、フラットベッドガラス５２の下方に配設されており（図２、図４参照）、読取可能領域Ｒに対応する範囲を、左右方向（読み取りの副走査方向）へ移動可能に配設されている。従って、当該スキャナユニット５５は、フラットベッドガラス５２上の読取可能領域Ｒに載置された原稿から画像を読み取り得る。
【００２９】
ここで、複合機１において、原稿台５０に原稿を載置して画像を読み取る場合、ユーザは、原稿カバー４０を閉状態に移動させる。これにより、フラットベッドガラス５２上の原稿は、原稿カバー４０の緩衝材４３及びシート４４により、フラットベッドガラス５２に向かって押圧され、所定位置に固定される。そして、複合機１は、この状態でスキャナユニット５５を制御することにより、良好な読取結果を取得し得る。
【００３０】
この点、複合機１において、スキャナ機能を使用していない場合、ユーザは、原稿カバー４０を閉状態にしておく場合がある。原稿カバー４０を閉じると、シート４４は、微小な間隔を隔てて、原稿台５０上面のフラットベッドガラス５２に近接する。この時、当該シート４４とフラットベッドガラス５２の間に、略密閉された空間が形成される。この場合、シート４４とフラットベッドガラス５２との間の空間内の空気は、原稿カバー４０の自重及び原稿カバー４０に加わる大気圧によって当該空間外へ流出し得る。この結果、当該空間内の気圧が大気圧よりも低くなるため、原稿カバー４０は、シート４４を介して、吸盤のように原稿台５０のフラットベッドガラス５２に張り付いてしまう場合がある（図４参照）。
【００３１】
続いて、第１実施形態に係る複合機１における密着防止部４５の構成について、図３〜図６を参照しつつ詳細に説明する。上述したように、密着防止部４５は、シート４４等の所定部分を加工することにより形成される。
【００３２】
当該密着防止部４５は、形成領域Ｆ内に位置する緩衝材４３及びシート４４の端部に形成される。図３に示すように、形成領域Ｆは、上述したシート対応領域Ｓ内において、読取可能領域Ｒを除いた領域と、手掛け部対応領域Ｇが重複する領域を示す。密着防止部４５は、形成領域Ｆ内に係るシート４４等の端部に形成されるので、読取可能領域Ｒ内に位置することはない。従って、シート４４等の端部を加工して密着防止部４５を形成した場合でも、当該密着防止部４５は、スキャナ部３０による読取結果に含まれることはない。即ち、当該複合機１は、当該密着防止部４５の影響を受けることなく、原稿の画像を読み取り得る。又、当該密着防止部４５が手掛け部対応領域Ｇ内に位置するため、当該密着防止部４５には、手掛け部４２に対するユーザの力が、比較的効率よく作用する。
【００３３】
そして、当該密着防止部４５は、形成領域Ｆ内に位置する緩衝材４３及びシート４４の端部を、所定寸法分、切り欠くことにより形成される。従って、図２、図５に示すように、密着防止部４５は、緩衝材４３及びシート４４の内側方向（図４中、奥方向）に凹んだ溝状に形成される。
【００３４】
図５に示すように、密着防止部４５は、緩衝材４３及びシート４４の内側方向（図４中、奥方向）に凹んだ溝状に形性されているので、手掛け部４２を介して作用するユーザの力を、当該密着防止部４５近傍に集中的に作用させ得る。従って、当該複合機１によれば、原稿カバー４０がフラットベッドガラス５２に吸盤のように張り付いてしまった場合に、ユーザは、当該密着防止部４５近傍のシート４４を、フラットベッドガラス５２表面から容易に離間させ得る。そして、シート４４は、フラットベッドガラス５２に吸盤のように張り付いているため、シート４４の一部をフラットベッドガラス５２から離間させれば、そこから外気が入り込み、より容易にシート４４全体をフラットベッドガラス５２から離間させ得る。即ち、当該複合機１は、原稿カバー４０を開状態にする際におけるユーザの負担を確実に軽減し得る。
【００３５】
図６に示すように、密着防止部４５は、緩衝材４３、シート４４の前側端部及び後側端部において、２か所の形成位置Ｐに形成される。緩衝材４３、シート４４の前側端部における形成位置Ｐは、シート４４の中心位置であるシート中心Ｃから、所定方向（図６中、左方向）へ距離Ｄ分偏心した位置である。又、緩衝材４３、シート４４の後側端部における形成位置Ｐは、シート中心Ｃから、所定方向（図６中、右方向）へ距離Ｄ分偏心した位置である。即ち、シート４４の後側端部に形成された密着防止部４５の形成位置Ｐは、シート中心Ｃの基準として、シート４４の前側端部に形成された密着防止部４５の形成位置Ｐと点対称となる。
【００３６】
従って、当該シート４４等は、シート中心Ｃを基準として点対称となる２か所の形成位置Ｐに、夫々、密着防止部４５を有している。これにより、シート４４等は、シート中心Ｃを軸に１８０度回転させた場合であっても、何等、密着防止部４５の位置関係を変えることはない。即ち、当該複合機１を製造する際に、作業者は、シート４４等の向きを考慮することなく、シート４４等を、原稿カバー４０に配設し得る。この結果、当該複合機１は、原稿カバー４０にシート４４を取り付ける際の作業者の負担を軽減し得る。
【００３７】
以上、説明したように、第１実施形態に係る複合機１は、スキャナ部３０を有しており、当該スキャナ部３０は、原稿台５０と、スキャナユニット５５と、原稿カバー４０と、を有している。当該スキャナ部３０は、原稿カバー４０を閉状態として、スキャナユニット５５による原稿台５０に載置された原稿の画像を読み取る際に用いられる。そして、原稿カバー４０は、手掛け部４２と、緩衝材４３と、シート４４と、を有し、原稿カバーを閉状態にした場合、当該シート４４は、原稿台５０上面のフラットベッドガラス５２と対向する。当該緩衝材４３及びシート４４は、形成領域Ｆ内における形成位置Ｐに、密着防止部４５を有しており、フラットベッドガラス５２上面と当該シート４４の密着から容易に開放し得る。従って、当該複合機１は、どの状態であっても原稿カバー４０を容易に開閉し得る。
【００３８】
更に、当該複合機１において、密着防止部４５が形成される形成領域Ｆは、手掛け部４２に近接する手掛け部対応領域Ｇ内にあるため、手掛け部４２を用いて原稿カバー４０を開状態にする際に、ユーザの力は、密着防止部４５に的確に作用する。この結果、当該複合機１は、原稿カバー４０を開状態にする際に、ユーザの力を効率よく作用させることができ、もって、原稿カバー４０の開動作を容易にし得る。又、形成領域Ｆは、原稿カバー４０が閉状態にある場合に読取可能領域Ｒの外側に位置するので、密着防止部４５が、スキャナユニット５５により読み取られた画像に影響を及ぼすことはない。
【００３９】
そして、密着防止部４５は、形成領域Ｆ内の形成位置Ｐにおける緩衝材４３及びシート４４の端縁部を切り欠くことにより構成される。従って、当該複合機１は、密着防止部４５を簡単な加工作業で形成し得る。そして、当該密着防止部４５は、形成位置Ｐに係る緩衝材４３、シート４４を切り欠くことにより、ユーザによる開状態への操作に基づく力を、当該密着防止部４５に集中的に作用させ得る（図５参照）。又、原稿カバー４０と原稿台５０上面が密着している場合であっても、当該複合機１は、当該密着防止部４５を介して、シート４４とフラットベッドガラス５２上面の間に外気を導入することができ、シート４４とフラットベッドガラス５２上面の間における気圧を、大気圧と均一な状態にし得る。従って、当該複合機１は、原稿カバー４０がシート４４を介して吸盤のように原稿台５０に張り付いた場合であっても、容易に原稿カバー４０を開状態に操作し得る。
【００４０】
更に、密着防止部４５は、シート中心Ｃを基準点として、点対称となる２か所の形成位置Ｐに形成されている。従って、シート中心Ｃを所定位置に合わせれば、作業者は、シート４４等の向きを厳密に考慮することなく、原稿カバー４０に対するシート４４等の取付作業を行い得る。これにより、当該複合機１は、当該複合機１を製造する際におけるシート４４の取付作業に関する負担を軽減し得る。
【００４１】
［第２実施形態］
次に、上述した第１実施形態と異なる別の実施形態（第２実施形態）について、図面を参照しつつ詳細に説明する。尚、第２実施形態に係る複合機１は、第１実施形態に係る複合機１と同一の基本的構成を有しており、密着防止部４５の構成のみが相違する。従って、第２実施形態に係る密着防止部４５について、図７、図８を参照しつつ詳細に説明する。
【００４２】
図７に示すように、第２実施形態に係る密着防止部４５は、形成位置Ｐに位置するシート４４を、下方向に所定寸法突出するように加工することで形成される。従って、第２実施形態に係る複合機１において、原稿カバー４０を閉状態にすると、密着防止部４５部分のシート４４のみが、フラットベッドガラス５２上面に接触する。つまり、シート４４の大部分は、空間Ｉを隔てて、フラットベッドガラス５２の上方に位置する（図８参照）。当該空間Ｉは、原稿カバー４０を閉状態にした場合であっても、外気を流入可能に連通している。従って、空間Ｉ内の気圧は外気圧と均一となるため、第２実施形態に係る密着防止部４５は、シート４４がフラットベッドガラス５２に吸盤のように張り付くことを防止し得る。
【００４３】
又、第２実施形態に係る密着防止部４５は、第１実施形態と同様に、シート４４の前側端部と後側端部の形成位置Ｐ（図６参照）に形成されている。つまり、第２形態に係る密着防止部４５は、シート中心Ｃを基準として点対称となる２か所の形成位置Ｐに形成されている。従って、第２実施形態に係る複合機１も、原稿カバー４０に対するシート４４の取付作業に関する作業負担を軽減し得る。
【００４４】
更に、シート４４の前側端部に係る密着防止部４５は、第１実施形態と同様に、形成領域Ｆ内の形成位置Ｐに形成されている。従って、第２実施形態においても、原稿カバー４０を閉状態にした場合に、密着防止部４５が、読取可能領域Ｒ内に位置することはない。これにより、第２実施形態に係る密着防止部４５がスキャナユニット５５の読取結果に影響を及ぼすことはない。又、シート４４の前側端部に係る形成位置Ｐは手掛け部対応領域Ｇ内に位置するため、当該前側端部の密着防止部４５は、手掛け部４２を用いたユーザの操作に基づく力を有効に作用させ得る。この結果、第２実施形態に係る複合機１によれば、ユーザは、どのような場合であっても、容易に原稿カバー４０を開状態にし得る。
【００４５】
以上、説明したように、第２実施形態に係る複合機１においては、第１実施形態と同様に、シート４４は、形成領域Ｆ内における形成位置Ｐに、密着防止部４５を有しており、フラットベッドガラス５２上面と当該シート４４の密着を防止する。従って、当該複合機１は、どの状態であっても原稿カバー４０を容易に開閉し得る。又、形成領域Ｆが手掛け部対応領域Ｇ内にあるため、手掛け部４２を用いて原稿カバー４０を開状態にする際に、ユーザの力は、密着防止部４５に的確に作用する。この結果、第２実施形態に係る複合機１は、原稿カバー４０を開状態にする際に、ユーザの力を効率よく作用させることができ、もって、原稿カバー４０の開動作を容易にし得る。更に、形成領域Ｆは、原稿カバー４０が閉状態にある場合に読取可能領域Ｒの外側に位置するので、第２実施形態に係る密着防止部４５が、スキャナユニット５５により読み取られた画像に影響を及ぼすことはない。
【００４６】
そして、第２実施形態に係る密着防止部４５は、原稿カバー４０が閉状態である場合における下方向に向かって突出するように加工形成されている。従って、第２実施形態に係る複合機１において、密着防止部４５は、簡単な加工により形成され得る。更に、当該密着防止部４５は、原稿カバー４０が閉状態にある場合に、シート４４とフラットベッドガラス５２の間に、外気流入可能な空間Ｉを形成する。これにより、第２実施形態に係る複合機１は、容易に原稿カバー４０を開状態にし得る状況を維持し得る。
【００４７】
更に、第２実施形態においても、密着防止部４５は、シート中心Ｃを基準点として、点対称となる２か所の形成位置Ｐに形成されている。これにより、第２実施形態に係る複合機１は、当該複合機１を製造する際におけるシート４４の取付作業に関する負担を軽減し得る。
【００４８】
［第３実施形態］
次に、上述した第１実施形態、第２実施形態と異なる別の実施形態（第３実施形態）について、図面を参照しつつ詳細に説明する。尚、第３実施形態に係る複合機１は、第１実施形態、第２実施形態に係る複合機１と同一の基本的構成を有しており、密着防止部４５の構成のみが相違する。従って、第３実施形態に係る密着防止部４５について、図９、図１０を参照しつつ詳細に説明する。
【００４９】
図９に示すように、第３実施形態に係る密着防止部４５は、形成位置Ｐに位置するシート４４を、上方向に所定寸法凹加工することで形成される。即ち、第３実施形態に係る密着防止部４５は、形成位置Ｐ部分のシート４４が原稿カバー４０方向へ凹んだ凹部となる。従って、第３実施形態に係る複合機１において、原稿カバー４０を閉状態にすると、密着防止部４５部分のシート４４が、フラットベッドガラス５２上方へ所定寸法離間する。当該密着防止部４５部分のシート４４は、空間Ｉを隔てて、フラットベッドガラス５２の上方に位置する（図１０参照）。
【００５０】
これにより、第３実施形態に係る密着防止部４５は、空間Ｉを介して、シート４４とフラットベッドガラス５２の間に外気を流入し得る。即ち、閉状態の原稿カバー４０がフラットベッドガラス５２に吸盤のように張り付いた場合であっても、第３実施形態に係る密着防止部４５は、開状態への操作に伴って、シート４４とフラットベッドガラス５２の間に外気を流入し、外気圧との均一化を図り得る。この結果、第３実施形態に係る複合機１は、どのような場合であっても、容易に原稿カバー４０を開状態にし得る状況を、ユーザに提供し得る。
【００５１】
又、第３実施形態に係る密着防止部４５は、第１実施形態と同様に、シート４４の前側端部と後側端部の形成位置Ｐ（図６参照）に形成されている。つまり、第３形態に係る密着防止部４５は、シート中心Ｃを基準として点対称となる２か所の形成位置Ｐに形成されている。従って、第３実施形態に係る複合機１も、原稿カバー４０に対するシート４４の取付作業に関する作業負担を軽減し得る。
【００５２】
更に、シート４４の前側端部に係る密着防止部４５は、第１実施形態と同様に、形成領域Ｆ内の形成位置Ｐに形成されている。つまり、第３実施形態においても、原稿カバー４０を閉状態にした場合に、密着防止部４５が、読取可能領域Ｒ内に位置することはない。この結果、第３実施形態に係る密着防止部４５がスキャナユニット５５の読取結果に、影響を及ぼすことはない。又、シート４４の前側端部に係る形成位置Ｐは手掛け部対応領域Ｇ内に位置するため、当該前側端部の密着防止部４５は、手掛け部４２を用いたユーザの操作に基づく力を有効に作用させ得る（図５参照）。この結果、第３実施形態に係る複合機１によれば、ユーザは、どのような場合であっても、容易に原稿カバー４０を開状態にし得る。
【００５３】
以上、説明したように、第３実施形態に係る複合機１においては、第１実施形態と同様に、シート４４は、形成領域Ｆ内における形成位置Ｐに、密着防止部４５を有しており、フラットベッドガラス５２上面と当該シート４４の密着を防止する。従って、当該複合機１は、どの状態であっても原稿カバー４０を容易に開閉し得る。又、形成領域Ｆが手掛け部対応領域Ｇ内にあるため、手掛け部４２を用いて原稿カバー４０を開状態にする際に、ユーザの力は、密着防止部４５に的確に作用する。この結果、第３実施形態に係る複合機１は、原稿カバー４０を開状態にする際に、ユーザの力を効率よく作用させることができ、もって、原稿カバー４０の開動作を容易にし得る。更に、形成領域Ｆは、原稿カバー４０が閉状態にある場合に読取可能領域Ｒの外側に位置するので、第３実施形態に係る密着防止部４５が、スキャナユニット５５により読み取られた画像に影響を及ぼすことはない。
【００５４】
そして、第３実施形態に係る密着防止部４５は、原稿カバー４０が閉状態である場合における上方向に所定寸法凹加工することで形成される。従って、第３実施形態に係る複合機１において、密着防止部４５は、簡単な加工により形成され得る。更に、当該密着防止部４５は、原稿カバー４０が閉状態にあり、吸盤のようにフラットベッドガラス５２に張り付いている場合に、開状態へのユーザの操作に伴って、空間Ｉを介して、シート４４とフラットベッドガラス５２の間に、外気を流入し得る。これにより、第３実施形態に係る複合機１は、容易に原稿カバー４０を開状態にし得る状況にし得る。
【００５５】
更に、第３実施形態においても、密着防止部４５は、シート中心Ｃを基準点として、点対称となる２か所の形成位置Ｐに形成されている。これにより、第３実施形態に係る複合機１は、当該複合機１を製造する際におけるシート４４の取付作業に関する負担を軽減し得る。
【００５６】
［第４実施形態］
次に、上述した第１実施形態〜第３実施形態と異なる別の実施形態（第４実施形態）について、図面を参照しつつ詳細に説明する。尚、第４実施形態に係る複合機１は、第１実施形態〜第３実施形態に係る複合機１と同一の基本的構成を有しており、密着防止部４５の構成のみが相違する。従って、第４実施形態に係る密着防止部４５について、図１１、図１２を参照しつつ詳細に説明する。
【００５７】
図１１に示すように、第４実施形態に係る密着防止部４５は、シート４４の前側端部に係る形成位置Ｐに位置するシート４４を、シート４４の外側方向（即ち、前側方向）に所定寸法延出することで形成される。原稿カバー４０を閉状態トした場合に、第４実施形態に係る密着防止部４５を構成するシート４４は、一端部をフレーム５１上部と接触させる。当該フレーム５１は、フラットベッドガラス５２上面の端縁部を覆うようにして、フラットベッドガラス５２を保持している。従って、第４実施形態に係る複合機１において、原稿カバー４０を閉状態にすると、空間Ｉが、密着防止部４５近傍に形成される。当該空間Ｉは、密着防止部４５を構成するシート４４下面と、フラットベッドガラス５２上面、フレーム５１表面により区画され、左右方向に外部と連通している（図１１、図１２参照）。
【００５８】
これにより、第４実施形態に係る密着防止部４５は、原稿カバー４０を開状態にする際に、空間Ｉを介して、シート４４とフラットベッドガラス５２の間に外気を流入し得る。即ち、閉状態の原稿カバー４０がフラットベッドガラス５２に吸盤のように張り付いた場合であっても、第４実施形態に係る密着防止部４５は、開状態への操作に伴って、シート４４とフラットベッドガラス５２の間に外気を流入し、外気圧との均一化を図り得る。この結果、第４実施形態に係る複合機１は、どのような場合であっても、容易に原稿カバー４０を開状態にし得る状況を、ユーザに提供し得る。
【００５９】
更に、第４実施形態に係る密着防止部４５は、第１実施形態と同様に、形成領域Ｆ内の形成位置Ｐに形成されている。つまり、第３実施形態においても、原稿カバー４０を閉状態にした場合に、密着防止部４５が、読取可能領域Ｒ内に位置することはない。この結果、第４実施形態に係る密着防止部４５が、スキャナユニット５５の読取結果に影響を及ぼすことはない。又、第４実施形態に係る密着防止部４５の形成位置Ｐは手掛け部対応領域Ｇ内に位置するため、当該密着防止部４５は、手掛け部４２を用いたユーザの操作に基づく力を有効に作用させ得る。この結果、第４実施形態に係る複合機１によれば、ユーザは、どのような場合であっても、容易に原稿カバー４０を開状態にし得る。
【００６０】
以上、説明したように、第４実施形態に係る複合機１においては、第１実施形態と同様に、シート４４は、形成領域Ｆ内における形成位置Ｐに、密着防止部４５を有しており、フラットベッドガラス５２上面と当該シート４４の密着から容易に解放し得る。従って、当該複合機１は、どの状態であっても原稿カバー４０を容易に開閉し得る。又、形成領域Ｆが手掛け部対応領域Ｇ内にあるため、手掛け部４２を用いて原稿カバー４０を開状態にする際に、ユーザの力は、密着防止部４５に的確に作用する。この結果、第４実施形態に係る複合機１は、原稿カバー４０を開状態にする際に、ユーザの力を効率よく作用させることができ、もって、原稿カバー４０の開動作を容易にし得る。更に、形成領域Ｆは、原稿カバー４０が閉状態にある場合に読取可能領域Ｒの外側に位置するので、第４実施形態に係る密着防止部４５が、スキャナユニット５５により読み取られた画像に影響を及ぼすことはない。
【００６１】
そして、第３実施形態に係る密着防止部４５は、原稿カバー４０が閉状態である場合における前側方向に所定寸法延出することで形成される。従って、第４実施形態に係る複合機１において、密着防止部４５は、簡単な加工により形成され得る。更に、当該密着防止部４５は、原稿カバー４０が閉状態にあり、吸盤のようにフラットベッドガラス５２に張り付いている場合に、開状態へのユーザの操作に伴って、空間Ｉを介して、シート４４とフラットベッドガラス５２の間に、外気を流入し得る。これにより、第４実施形態に係る複合機１は、容易に原稿カバー４０を開状態にし得る状況にし得る。
【００６２】
以上、実施形態に基づき本発明を説明したが、本発明は上述した実施形態に何ら限定されるものではなく、本発明の趣旨を逸脱しない範囲内で種々の改良変更が可能である。例えば、上述した実施形態においては、本発明を複合機１に適用した場合について説明したが、この態様に限定されるものではなく、所謂、イメージスキャナに適用し得ることも可能である。
【００６３】
又、上述した実施形態においては、原稿カバー４０は、自動原稿送り装置４１を有していたが、原稿カバー４０は、手掛け部４２、緩衝材４３、シート４４、密着防止部４５を有していればよい。
【００６４】
第１実施形態においては、形成位置Ｐに係る緩衝材４３及びシート４４を切り欠くことで、密着防止部４５を形成していたが、この態様に限定するものではない。即ち、形成位置Ｐに係るシート４４のみを切り欠き、緩衝材４３については、加工を施さない態様であってもよい。
【００６５】
又、第２実施形態、第３実施形態に係る密着防止部４５は、形成位置Ｐに係るシート４４を、凹形状又は凸形状に加工して形成していたが、当該形状を実現し得る加工であれば、どのような方法を採用してもよい。例えば、形成位置Ｐに係るシート４４に対するシボ加工の深さを大きくすることにより、凹形状を実現しても良い。又、形成位置Ｐに係るシート４４に対して、所定厚みを有するフィルムを貼着することによって、凸形状を実現することも可能である。
【符号の説明】
【００６６】
１  複合機
３０  スキャナ部
４０  原稿カバー
４２  手掛け部
４３  緩衝材
４４  シート
４５  密着防止部
５０  原稿台
５５  スキャナユニット
Ｆ  形成領域
Ｇ  手掛け部対応領域
Ｒ  読取可能領域
Ｃ  シート中心
Ｐ  形成位置
【図１】
2011135440.tif 000003
【図２】
2011135440.tif 000004
【図３】
2011135440.tif 000005
【図４】
2011135440.tif 000006
【図５】
2011135440.tif 000007
【図６】
2011135440.tif 000008
【図７】
2011135440.tif 000009
【図８】
2011135440.tif 000010
【図９】
2011135440.tif 000011
【図１０】
2011135440.tif 000012
【図１１】
2011135440.tif 000013
【図１２】
2011135440.tif 000014